(57)【要約】【課題】指紋照合機能を有する情報端末に関し、指紋読み取り面の面積が小さくても、確実に指紋照合を行うことができ、情報端末自体の小型化も阻害しない情報端末を実現する。【解決手段】本体１に対してフリップ２がヒンジ部３を中心に開閉可能に構成され、本体１の上面には、折り畳み時の本体１とフリップ２の対向面間隔を規制するスペーサ突起５，６が設けられている。このスペーサ突起５，６は、フリップ２を閉じた時にフリップ２の対向面に弾接しそれ以上の閉動作を規制するだけでなく、指紋読み取り時における指の位置決め指標の役目も有している。このため、スペーサ突起５，６は、指紋センサ８の指紋読み取り面９を前後（図１における上下方向）に２分割する直線Ｌ上の位置で、かつ、指紋読み取り面９の左右の位置に配置されており、ここに爪の付け根を合わせることで、指を長さ方向に位置決めできるようになっている。【選択図】      図１
2004318334.tif 000002
【特許請求の範囲】
【請求項１】
指紋センサにより指紋を読み取って照合する指紋照合機能を有した情報端末であって、
前記指紋センサの指紋読み取り面を前後に２分割する直線上の位置で、かつ、前記指紋読み取り面の左右の位置に、爪の付け根の前後方向における位置決め指標が設けられている情報端末。
【請求項２】
前記情報端末は、折り畳み時の対向面間隔を規制するスペーサ突起が一方の対向面に形成された折り畳み型の情報端末であり、
前記指紋センサの指紋読み取り面を前後に２分割する直線上の位置で、かつ、前記指紋読み取り面の左右の位置には、前記スペーサ突起が、前記位置決め指標をも兼ねるように設けられていることを特徴とする請求項１記載の情報端末。
【請求項３】
前記折り畳み型の情報端末は、一方の対向面に折り畳み時の対向面間隔を規制するスペーサ突起と入力キー部と前記指紋読み取り面とを有し、他方の対向面に情報表示画面を有する情報端末であって、
前記入力キー部は前記指紋読み取り面よりも折曲中心側に位置し、前記入力キー部のキーボード面は、非キーボード面よりも低く形成され、かつ、該非キーボード面中央には、前記指紋読み取り面が形成されていることを特徴とする請求項２記載の情報端末。
【請求項４】
前記情報端末は、情報表示画面を有する情報端末であり、
指紋読み取り時には、前記スペーサ突起を結ぶ直線上に爪の付け根が重なるように、指を前記指紋読み取り面上に置くことを促す表示を、前記情報表示画面で行うことを特徴とする請求項２または３記載の情報端末。
【請求項５】
前記情報端末は、マイクロフォンを有した情報端末であり、
前記指紋センサの指紋読み取り面を前後に２分割する直線上の位置で、かつ、前記指紋読み取り面の左右の位置に、前記マイクロフォンの集音用穴が、前記位置決め指標をも兼ねるように設けられていることを特徴とする請求項１記載の情報端末。
【発明の詳細な説明】
【０００１】
【発明の属する技術分野】
本発明は、ＰＤＡ（ｐｅｒｓｏｎａｌ  ｄｉｇｉｔａｌ  ａｓｓｉｓｔａｎｔｓ）や携帯電話等の情報端末であって、指紋照合機能を有する情報端末に関する。
【０００２】
【従来の技術】
近年、ＰＤＡや携帯電話は多機能化し、本来の電子手帳や電話の用途のみならず、有線や無線のネットワークを介して電子情報や画像情報を送受信する機能を備えるようになってきている。さらには、決済端末としての機能も備えるようになり、安全な個人認証機能も必要になっている。
【０００３】
また、情報端末に指紋認証機能を搭載したものも考えられている。たとえば、特定の使用者（所有者）の指紋を読み取り、予め記憶されている情報と比較し、一致した時にのみ、送受信を可能にすることで、第３者による不正使用を防止できる携帯電話（たとえば、特許文献１参照）や、照合用指紋が所有者本人のものであると確認されると、暗証番号等の秘密情報を表示部に表示し、秘密情報の確認や変更を可能にすることで、秘密情報についてセキュリティ性能を高めた携帯電話（たとえば、特許文献２参照）が考えられている。
【０００４】
ノートパソコンには、外形が２０ｍｍ角以上で指紋読み取り面（センサ面）が１５ｍｍ角程度の指紋センサでも実装できるが、携帯電話のような小型の情報端末では、その小型化が進むと共に高機能化が進んだことにより、指紋センサの設置面積も大幅に減少しており、たとえば、指紋読み取り面が７ｍｍ角のような小型の指紋センサでなければ搭載できなくなっている。
【０００５】
【特許文献１】
特開平５−９５３２９号公報（図１、第２頁）
【特許文献２】
特開２００１−２３６３２４公報（図１、第５〜８頁）
【０００６】
【発明が解決しようとする課題】
小型の指紋センサでは、指紋読み取り面の面積が小さく、指紋読み取り面に指を置いた時に、指で指紋読み取り面が隠れてしまい、特に指の長さ方向における指位置が正確であるか否かを判断するのは難しい。このため、小型の指紋センサでは、指の位置ずれにより、指紋登録時と指紋照合時での指紋領域のオーバーラップ量が小さくなり、指紋のオーバーラップ部での特徴点の抽出が十分ではなく、指紋照合が行えなくなるという問題が発生している。
【０００７】
この場合、指に当接し指の位置決めをする当接ガイドを指紋読み取り面の周囲に配置することも考えられるが、このようにすると、指に当接する高さの当接ガイドが必要になり、この結果、当接ガイドの背が高くなり、情報端末自体が大型化し、小型化の要求に応えられなくなる。また、折り畳み型の携帯電話では、指紋センサの周りに背の高い当接ガイドを置くことは、厚さや設置面積の制限から困難である。しかも、指の先端を当接ガイドに突き当てる方式では、爪の長さに応じて指の位置が大きくずれるという問題がある。
【０００８】
本発明はこれらの問題を解決しようとするもので、指紋読み取り面の面積が小さくても、確実に指紋照合を行うことができ、情報端末自体の小型化も阻害しない情報端末を実現することを目的とするものである。
【０００９】
【課題を解決するための手段】
請求項１に係る発明は、指紋センサにより指紋を読み取って照合する指紋照合機能を有した情報端末に関するもので、本発明の実施の形態例を示す図１を用いて示すと、指紋センサ８の指紋読み取り面９を前後に２分割する直線Ｌ上の位置で、かつ、指紋読み取り面９の左右の位置に、爪の付け根の前後方向における位置決め指標（たとえば、スペーサ突起５，６）が設けられている点に特徴がある。
【００１０】
指紋読み取り面に指を置いた場合、指紋読み取り面の前後方向には、指が存在するため、指の長さ方向の正確な位置決めは難しいが、本発明では、爪の付け根の前後方向における位置決め指標が設けられているので、この位置決め指標に基づき爪の付け根を位置決めし、爪の位置を決めている。
【００１１】
爪の付け根と指紋模様の中心との位置関係は、本願発明者の研究によると、ほぼ一定している。よって、爪の付け根を位置決め指標に基づき位置決めすることによって指の位置決めを行うようにすれば、指紋読み取り面の面積が小さくて指で指紋読み取り面が隠れていても、指紋模様の中心を常に指紋読み取り面上の一定位置に載せることができ、指紋登録時と指紋照合時での指紋領域のオーバーラップ量を大きくとれ、指紋のオーバーラップ部での特徴点の抽出を十分に行え、指紋照合を確実に行える。
【００１２】
この位置決め指標は、指紋読み取り面の左右に凹部または凸部を形成して設けたり、印刷や貼着により設けることができるので、情報端末自体の小型化を阻害しない。
【００１３】
請求項２に係る発明は、請求項１に係る発明を前提とするもので、折り畳み時の対向面間隔を規制するスペーサ突起が一方の対向面に形成された折り畳み型の情報端末であって、スペーサ突起に位置決め指標を兼ねさせたことを特徴とするものである。
【００１４】
この発明では、既に存在するスペーサ突起を位置決め指標の位置に移すだけであるため、構成は簡単である。
【００１５】
請求項３に係る発明は、請求項２に係る発明を前提とするもので、一方の対向面に折り畳み時の対向面間隔を規制するスペーサ突起と入力キー部と指紋読み取り面とを有し、他方の対向面に情報表示画面を有する情報端末であって、入力キー部は指紋読み取り面よりも折曲中心側に位置し、入力キー部のキーボード面は、非キーボード面よりも低く形成され、かつ、該非キーボード面中央には、指紋読み取り面が形成されていることを特徴とするものである。
【００１６】
この発明では、入力キー部のキーボード面が非キーボード面よりも低いので、指紋照合時に入力キー部を向いた指の先端部が、入力キー部のキーを不用意に押すことがなくなるという利点がある。
【００１７】
請求項４に係る発明は、請求項２または３に係る発明を前提とするもので、情報表示画面を有する情報端末であって、指紋読み取り時には、スペーサ突起を結ぶ直線上に爪の付け根が重なるように、指を指紋読み取り面上に置くことを促す表示を、情報表示画面で行うことを特徴とするものである。
【００１８】
この発明では、情報表示画面の表示から、操作者は、スペーサ突起を結ぶ直線上に爪の付け根が重なるように指を置くべきことを知るので、指の位置決めを迷わず正確に繰り返すことができる。
【００１９】
請求項５に係る発明は、請求項１に係る発明を前提とするもので、マイクロフォンを有した情報端末であって、指紋センサの指紋読み取り面を前後に２分割する直線上の位置で、かつ、指紋読み取り面の左右の位置に、マイクロフォンの集音用穴が、位置決め指標をも兼ねるように設けられていることを特徴とするものである。
【００２０】
【実施の形態】
（第１の実施の形態例）
図１〜図５を用いて、本発明の第１の実施の形態例を説明する。本形態例は、折り畳み型のＰＤＡに関するもので、図１は本形態例の開いた状態（使用状態）での平面図であり、図２は閉じた状態での左側面図である。
【００２１】
本形態例は、本体１に対してフリップ２がヒンジ部３を中心に開閉可能に構成され、本体１の上面（フリップとの対向面）には、折り畳み時の本体１とフリップ２の対向面間隔を規制するスペーサ突起５，６と、入力キー部７と、指紋センサ８の指紋読み取り面９とが設けられている。一方、フリップ２の本体１との対向面には、液晶でなる情報表示画面１１が設けられている。
【００２２】
上記スペーサ突起５，６は、ゴム等の弾性体で構成され、フリップ２を閉じた時にフリップ２の対向面に弾接しそれ以上の閉動作を規制する本来の役目だけでなく、指紋読み取り時における指の位置決め指標の役目も有している。このため、スペーサ突起５，６は、指紋センサ８の指紋読み取り面９を前後（図１における上下方向）に２分割する直線Ｌ上の位置で、かつ、指紋読み取り面９の左右の位置に配置されており、図３に示すように、ここに爪１３の付け根１４を合わせることで、指１２の長さ方向（前後方向）における位置決めを行えるようになっている。
【００２３】
指１２の長さ方向における爪１３の付け根１４（爪１３の幅方向の中心部における付け根１４）と指紋模様の中心とは、本願発明者の研究によると、ほぼ同じ位置にある。そこで、本形態例では、指紋センサ８の指紋読み取り面９を前後に２分割する上記直線Ｌとして、指紋読み取り面９の中心Ｏ（指紋読み取り面９が矩形の場合、対角線の交点）を通る直線が選択されている。
【００２４】
そして、指紋読み取り時には、図３に示したように、スペーサ突起５，６を結ぶ直線（直線Ｌ）上に爪１３の付け根１４の中心部が重なるように、指１２を指紋読み取り面９上に置くことにより、指紋模様の中心を指紋読み取り面９の中心Ｏにほぼ重ねるようにしている。
【００２５】
なお、指１２の幅方向（左右方向）の位置決めは、指１２を本体１の幅の中心に持ってくればよいため、目視にて比較的容易にでき、指１２が指紋読み取り面９の中心Ｏから左右方向にさほどずれることはないが、スペーサ突起５，６を指紋読み取り面９の中心Ｏに関して左右対称の位置に配置すれば（図１ではこのようになっている）、本体１の幅より小さい間隔のスペーサ突起５，６間の中央に指１２を位置決めすることになり、左右方向の位置決めが一層容易になる。
【００２６】
本形態例においては、指紋読み取り時に、図３中の情報表示画面１１内に例示したように、スペーサ突起５，６を結ぶ直線Ｌ上に爪１３の付け根１４が重なるように、指１２を指紋読み取り面９上に置くことを促す表示を、情報表示画面１１で行うようにしている（この表示は、少なくとも図または文章の一方で行う）。この情報表示画面１１の表示から、操作者は、スペーサ突起５，６を結ぶ直線Ｌ上に爪１３の付け根１４が重なるように指１２を置くべきことを知るので、指１２の位置決めを迷わず正確に繰り返すことができる。
【００２７】
位置決め指標でもあるスペーサ突起５，６に基づき爪１３の付け根１４を位置決めすることで指１２の位置決めを行うようにすれば、指紋読み取り面９の面積が小さく指１２で指紋読み取り面９が隠れていても、指紋模様の中心を常に指紋読み取り面９上の一定位置に載せることができ、指紋登録時と指紋照合時でずれは生じない。このため、指紋登録時と指紋照合時での指紋領域のオーバーラップ量を大きくとれ、指紋のオーバーラップ部での特徴点の抽出を十分に行え、指紋照合を確実に行える。
【００２８】
特に、本形態例のように、直線Ｌとして、指紋読み取り面９の中心Ｏを通る直線を選択し、スペーサ突起５，６を結ぶ直線Ｌ上に爪１３の付け根１４が重なるように、指１２を指紋読み取り面９上に導き、指紋模様の中心を指紋読み取り面９の中心Ｏにほぼ重ねるように構成すれば、指紋模様の中心近傍の多くの特徴点を抽出できる。
【００２９】
スペーサ突起５，６を位置決め指標として兼用しない場合は、指紋読み取り面９の左右に凹部または凸部を形成して位置決め指標としたり、印刷や貼着により位置決め指標を構成することができる。位置決め指標の存在は、情報端末自体の小型化を阻害しない。折り畳み型の情報端末の場合、通常、スペーサ突起が存在するので、このスペーサ突起５，６を位置決め指標の位置に移すだけで位置決め指標として兼用できるため、構成は簡単である。
【００３０】
図４に本形態例の指紋照合機能部分の構成を示した。指紋照合機能部分は、指紋センサ８，指紋特徴情報抽出部２０，参照用指紋特徴情報保存部２１，指紋特徴情報照合部２２および情報表示部２３と、これらを統括制御する制御部２４とで構成される。
【００３１】
指紋センサ８は、指紋を読み取り、その画像データを出力するものである。読み取り方式には、種々のものがある。たとえば半導体式は、指紋読み取り面をなす保護膜の下に、多数の電極を２次元的に配置したときに、保護膜の上に置かれた指の指紋（凹凸）に応じて、各電極に電荷が生じることを利用したもので、各電極の電荷を電圧に変換し、画像データを得ている。
【００３２】
指紋特徴情報抽出部２０は、指紋センサ８により取得された画像データから照合用指紋特徴情報を抽出するものである。特徴点には、たとえば、中心点（指紋模様の中心）、分岐点（指紋の凸部模様の枝分かれ点）、端点（指紋の凸部模様の行き止まり点）、三角州（指紋の凸部模様が３方向から集まる点）がある。指紋特徴情報とは、これら特徴点の種類，向き，中心点からの座標等である。
【００３３】
参照用指紋特徴情報保存部２１はメモリで構成されるもので、情報端末の所有者についての参照用指紋特徴情報を予め格納しておくものである。指紋特徴情報照合部２２は、指紋特徴情報抽出部２０により抽出された照合用指紋特徴情報と参照用指紋特徴情報保存部２１に保存されている参照用指紋特徴情報とを比較・照合し、照合用指紋特徴情報が参照用指紋特徴情報に対して所定の一致条件を満たしているか否かを判断するものであり、その一致条件を満たしている場合に、指紋特徴情報抽出部２０で抽出された照合用指紋特徴情報が所有者本人のものであると認識される。所定の一致条件とは、たとえば照合用指紋特徴情報と参照用指紋特徴情報との一致率（一致度）が一定値以上になっていることである。
【００３４】
上記指紋照合動作は、制御部２４によって、統括制御されながらなされる。すなわち、図５に示すように、指紋照合メニューの起動時には、まず指紋センサ８の初期化を行い（Ｓ１）、その後、指紋入力要求ステップに移り、図３に示したように、情報表示部２３の情報表示画面１１に、スペーサ突起５，６を結ぶ直線Ｌ上に爪１３の付け根１４が重なるように、指１２を指紋読み取り面９上に置くことを促す（Ｓ２）。
【００３５】
その後、指紋画像入力ステップに移り、指紋センサ８に指紋を読み取らせる（Ｓ３）。ここで得られた画像データを基に、指紋特徴情報抽出部２０に照合用指紋特徴情報を抽出させ、指紋特徴情報照合部２２に、指紋特徴情報抽出部２０により抽出された照合用指紋特徴情報と参照用指紋特徴情報保存部２１に保存されている参照用指紋特徴情報とを比較・照合させる（Ｓ４）。本人の指紋か否かの照合（Ｓ５）の結果、本人と確認されると、指紋照合メニューを終了する。本人と確認できない場合には、所定の試行回数に達するまで、Ｓ２〜Ｓ５のステップを繰り返し、指紋の読み取りと照合を繰り返す（Ｓ７）。所定の試行回数に達すると、本人と確認できないと最終的に判断し、指紋照合メニューを終了する（Ｓ８）。
（第２の実施の形態例）
図６に本発明の第２の実施の形態例を示した。図６において、図１と対応する部分には同一符号を付し、その説明は省略する。本形態例は、スペーサ突起５，６の平面形状が３角形になっている点に特徴があり、指紋読み取り面９を介して左右から角部が向き合っている。このような平面形状のスペーサ突起５，６を用いれば、直線Ｌの位置が一層明確になり、位置決め精度が向上する。
（第３の実施の形態例）
図７に本発明の第３の実施の形態例を示した。図７において、図１と対応する部分には同一符号を付し、その説明は省略する。本形態例は、マイクロフォンを有した情報端末に関するものであり、指紋センサ８の指紋読み取り面９を前後に２分割する直線Ｌ上の位置で、かつ、指紋読み取り面９の左右の位置に、マイクロフォンの集音用穴３１，３２が、位置決め指標をも兼ねるように設けられている。この集音用穴３１，３２は左右に延びた形状をしているので、直線Ｌの位置が一層明確になり、位置決め精度が向上する。
【００３６】
本形態例では、直線Ｌとして、指紋読み取り面９の中心Ｏを通る直線を選択し、集音用穴３１，３２を結ぶ直線Ｌ上に爪１３の付け根１４が重なるように、指１２を指紋読み取り面９上に置く。これにより、指紋模様の中心を指紋読み取り面９の中心Ｏにほぼ重なるので、指紋模様の中心近傍の多くの特徴点を抽出できる。
【００３７】
なお、本形態例でのスペーサ突起５，６は、フリップ２を閉じた時にフリップ２の対向面に弾接しそれ以上の閉動作を規制するだけの役目を有している。
（第４の実施の形態例）
図８〜図１０に本発明の第４の実施の形態例を示した。図８〜図１０において、図１および図２と対応する部分には同一符号を付し、その説明は省略する。本形態例は、第１の実施の形態例と基本的には同一の構成を有するものであるが、次の点で相違している。すなわち、本形態例では、指紋読み取り面９よりもヒンジ部３（折曲中心）側に位置する入力キー部７のキーボード面３３が、非キーボード面３４よりも低く形成され、かつ、非キーボード面３４の中央には、指紋読み取り面９が形成されている。
【００３８】
本形態例では、入力キー部７のキーボード面３３が非キーボード面３４よりも低いので、指紋照合時に入力キー部７を向いた指１２の先端部が、入力キー部７のキーを不用意に押すことがなくなる。なお、指紋読み取り面９はその周りの非キーボード面３４と同一の高さであってもよいが、特に図１０に示すように、指紋読み取り面９がその周りの非キーボード面３４から凹むように形成された場合には、指紋照合時に入力キー部７を向いた指１２の先端部が、非キーボード面３４により押し上げられた姿勢になるため、より一層、指１２の先端部で入力キー部７のキーを不用意に押すことがなくなる。
（その他の実施の形態例）
本発明は上記第１〜第４の実施の形態例に限定されるものではない。たとえば、指紋読み取り面９の平面形状として、長方形（矩形）のものを示したが、菱形や円形等のものを用いてもよい。また、上記形態例では、ＰＤＡを説明したが、携帯電話にも本発明を適用できる。さらに、本発明を適用できる情報端末は、折り畳み型に限らない。
【００３９】
以下、本発明の主たる態様を付記として示す。
【００４０】
（付記１）  指紋センサにより指紋を読み取って照合する指紋照合機能を有した情報端末であって、
前記指紋センサの指紋読み取り面を前後に２分割する直線上の位置で、かつ、前記指紋読み取り面の左右の位置に、爪の付け根の前後方向における位置決め指標が設けられている情報端末。
【００４１】
（付記２）  前記指紋センサの指紋読み取り面を前後に２分割する直線として、前記指紋読み取り面の中心を通る直線が選択され、該直線上の位置で、かつ、前記指紋読み取り面の左右の位置に、爪の付け根の前後方向における位置決め指標が設けられていることを特徴とする付記１記載の情報端末。
【００４２】
（付記３）  前記情報端末は、折り畳み時の対向面間隔を規制するスペーサ突起が一方の対向面に形成された折り畳み型の情報端末であり、
前記指紋センサの指紋読み取り面を前後に２分割する直線上の位置で、かつ、前記指紋読み取り面の左右の位置には、前記スペーサ突起が、前記位置決め指標をも兼ねるように設けられていることを特徴とする付記１または２記載の情報端末。
【００４３】
（付記４）  前記スペーサ突起の平面形状は、前記指紋読み取り面を介して左右から角部が突き合うような形状になっていることを特徴とする付記３記載の情報端末。
【００４４】
（付記５）  前記折り畳み型の情報端末は、一方の対向面に折り畳み時の対向面間隔を規制するスペーサ突起と入力キー部と前記指紋読み取り面とを有し、他方の対向面に情報表示画面を有する情報端末であって、
前記入力キー部は前記指紋読み取り面よりも折曲中心側に位置し、前記入力キー部のキーボード面は、非キーボード面よりも低く形成され、かつ、該非キーボード面中央には、前記指紋読み取り面が形成されていることを特徴とする付記３または４記載の情報端末。
【００４５】
（付記６）  前記情報端末は、情報表示画面を有する情報端末であり、
指紋読み取り時には、前記スペーサ突起を結ぶ直線上に爪の付け根が重なるように、指を前記指紋読み取り面上に置くことを促す表示を、前記情報表示画面で行うことを特徴とする付記３〜５の何れかに記載の情報端末。
【００４６】
（付記７）  前記情報端末は、マイクロフォンを有した情報端末であり、
前記指紋センサの指紋読み取り面を前後に２分割する直線上の位置で、かつ、前記指紋読み取り面の左右の位置に、前記マイクロフォンの集音用穴が、前記位置決め指標をも兼ねるように設けられていることを特徴とする付記１または２記載の情報端末。
【００４７】
（付記８）  前記マイクロフォンの集音用穴は左右に延びた形状をしていることを特徴とする付記７記載の情報端末。
【００４８】
【発明の効果】
以上説明したように、本発明では、爪の付け根の前後方向における位置決め指標が設けられているので、この位置決め指標に基づき爪の付け根を位置決めし、指の位置を定めることにより、指紋読み取り面の面積が小さくて、指で指紋読み取り面が隠れていても、指紋模様の中心を常に指紋読み取り面上の一定位置に載せることができ、指紋登録時と指紋照合時での指紋領域のオーバーラップ量を大きくとれ、指紋のオーバーラップ部での特徴点の抽出を十分に行え、指紋照合を確実に行える。また、この位置決め指標は、指紋読み取り面の左右に凹部または凸部を形成して設けたり、印刷や貼着により設けることができるので、情報端末自体の小型化を阻害するものではない。
【００４９】
請求項２に係る発明によれば、既に存在するスペーサ突起を位置決め指標として兼用するため、請求項１に係る発明の効果に加えて、構成が簡単になるという効果もある。
【００５０】
請求項３に係る発明では、入力キー部のキーボード面が非キーボード面よりも低いため、指紋照合時に入力キー部を向いた指の先端部が、入力キー部のキーを不用意に押すことがなくなるという効果もある。
【００５１】
請求項４に係る発明では、情報表示画面の表示から、操作者は、スペーサ突起を結ぶ直線上に爪の付け根が重なるように指を置くべきことを知るので、指の位置決めを迷わず正確に繰り返すことができるという効果もある。
【００５２】
請求項５に係る発明でも、請求項１に係る発明と同様な効果が得られる。
【図面の簡単な説明】
【図１】本発明の第１の実施の形態例における開いた状態での平面図である。
【図２】本発明の第１の実施の形態例における閉じた状態での左側面図である。
【図３】本発明の第１の実施の形態例における指紋読み取りの説明図である。
【図４】指紋照合機能部分の構成を示すブロック図である。
【図５】指紋照合の動作を示すフローチャートである。
【図６】本発明の第２の実施の形態例における開いた状態での平面図である。
【図７】本発明の第３の実施の形態例における開いた状態での平面図である。
【図８】本発明の第４の実施の形態例における開いた状態での平面図である。
【図９】本発明の第４の実施の形態例における閉じた状態での左側面図である。
【図１０】本発明の第４の実施の形態例における指の載置状態図である。
【符号の説明】
１              本体
２              フリップ
３              ヒンジ部
５，６          スペーサ突起
７              入力キー部
８              指紋センサ
１１            情報表示画面
１２            指
１３            爪
１４            付け根
２０            指紋特徴情報抽出部
２１            参照用指紋特徴情報保存部
２２            指紋特徴情報照合部
２３            情報表示部
２４            制御部
３１，３２      集音用穴
３３            キーボード面
３４            非キーボード面
【図１】
2004318334.tif 000003
【図２】
2004318334.tif 000004
【図３】
2004318334.tif 000005
【図４】
2004318334.tif 000006
【図５】
2004318334.tif 000007
【図６】
2004318334.tif 000008
【図７】
2004318334.tif 000009
【図８】
2004318334.tif 000010
【図９】
2004318334.tif 000011
【図１０】
2004318334.tif 000012